(57)【特許請求の範囲】
【請求項１】
印刷装置に入力される入力データの改善を支援する入力データ改善支援装置であって、前記入力データに複数のページが存在し、前記入力データが複数の共通データと複数の可変データとを実質的に含み、各共通データは、複数のページに印刷される共通画像を示し、各可変データは、いずれかのページに印刷され、かつ、ページ毎に変化する可変画像を示し、
前記入力データ改善支援装置が、
各共通データから印刷に使用される共通画像データを生成する指示を示す共通画像使用宣言文を、前記入力データから抽出する宣言文抽出部と、
各共通画像使用宣言文に対応する共通画像の特徴または内容を示し、使用者による当該共通画像の把握を可能とする画像特定情報を取得するとともに、前記各共通画像使用宣言文に対応する共通画像データの前記入力データにおける使用回数および使用ページを取得する使用情報取得部と、
前記各共通画像使用宣言文に対応する前記画像特定情報、前記使用回数および前記使用ページを出力する出力部と、
を備えることを特徴とする入力データ改善支援装置。
【請求項２】
請求項１に記載の入力データ改善支援装置であって、
前記画像特定情報が、対応する共通画像の縮小画像であることを特徴とする入力データ改善支援装置。
【請求項３】
請求項１または２に記載の入力データ改善支援装置であって、
いずれかの共通データから共通画像データを生成する際に、ラスタライズまたはラスタデータに対する演算が必要であることを特徴とする入力画像データ改善支援装置。
【請求項４】
請求項１ないし３のいずれかに記載の入力データ改善支援装置であって、
前記出力部からの出力に含まれる複数の画像特定情報から２以上の画像特定情報の選択を受け付ける選択受付部と、
前記２以上の画像特定情報に対応する２以上の共通画像使用宣言文のうち、１つの共通画像使用宣言文を統一化宣言文として選択し、前記２以上の共通画像使用宣言文のうち前記統一化宣言文を除く他の共通画像使用宣言文を前記入力データから削除し、前記入力データにおいて、前記他の共通画像使用宣言文に対応する共通画像データの使用を指示する指示文を、前記統一化宣言文に対応する共通画像データの使用を指示する指示文に変更する入力データ変更部と、
をさらに備えることを特徴とする入力データ改善支援装置。
【請求項５】
ＣＰＵ、メモリ、入力受付部を備えたコンピュータにおいて実行可能であり、印刷装置に入力される入力データの改善を支援するプログラムであって、前記入力データに複数のページが存在し、前記入力データが複数の共通データと複数の可変データとを実質的に含み、各共通データは、複数のページに印刷される共通画像を示し、各可変データは、いずれかのページに印刷され、かつ、ページ毎に変化する可変画像を示し、
前記プログラムをＣＰＵがメモリにおいて実行することにより、
ａ）各共通データから印刷に使用される共通画像データを生成する指示を示す共通画像使用宣言文を、前記入力データから抽出する工程と、
ｂ）各共通画像使用宣言文に対応する共通画像の特徴または内容を示し、使用者による当該共通画像の把握を可能とする画像特定情報を取得するとともに、前記各共通画像使用宣言文に対応する共通画像データの前記入力データにおける使用回数および使用ページを取得する工程と、
ｄ）前記各共通画像使用宣言文に対応する前記画像特定情報、前記使用回数および前記使用ページを出力する工程と、
を前記コンピュータに実行させることを特徴とするプログラム。
【発明の詳細な説明】
【技術分野】
【０００１】
本発明は、印刷装置に入力される入力データの改善を支援する技術に関する。
【背景技術】
【０００２】
従来より、商業用の印刷装置では、クレジットカードの請求書等のように、ページ毎に印刷内容の一部が異なる印刷（いわゆる、可変印刷）が行われている。このような可変印刷では、入力データから印刷装置用の画像データ（ラスタデータ）を生成する際に、多数のページの画像データを生成する必要があり、画像データの生成に要する処理時間を短縮することが求められている。
【０００３】
特許文献１では、可変印刷において、全ページで共通となる基本画像データと、各ページで異なる複数の可変画像データとを合成し、合成画像を順次印刷するのに必要な処理時間を短縮する技術が提案されている。具体的には、基本画像データの一部を領域画像データとして取り出し、領域画像データと可変画像データとを合成して合成領域画像データを取得した後、合成領域画像データを基本画像データに上書きすることにより、合成済み画像データを取得する。これにより、合成処理のためのデータ転送量等が低減され、合成処理に要する時間が低減される。
【０００４】
特許文献２では、可変印刷にて使用されるドキュメントとして、予めラスタ化されている循環要素、および、作動中にラスタイメージ処理が行われるべき非循環要素を含むものが想定され、当該ドキュメントにおいて、循環頻度および重なり位置に応じて循環要素および非循環要素を並び換えることが提案されている。
【先行技術文献】
【特許文献】
【０００５】
【特許文献１】特開２００１−１６４２６号公報
【特許文献２】特開２００３−２００６２２号公報
【発明の概要】
【発明が解決しようとする課題】
【０００６】
ところで、可変印刷が行われる印刷装置では、入力データから印刷装置用の画像データを生成した際に、生成処理に要した時間等を表示する機能を有するものがあるが、処理時間を短縮する方法や、処理時間短縮のための指針等は提供されない。印刷装置のユーザが処理時間の短縮をしようとする場合、処理時間を短縮する方法をメーカ等に問い合わせることになるが、可変印刷では、印刷内容に個人情報を含むことが多いため、メーカ等への問い合わせが難しい。
【０００７】
特許文献１および特許文献２では、入力データから印刷装置用の画像データを生成する処理に要する時間を短縮する方法が提案されているが、入力データにおいて、不要な処理が指示されている場合、例えば、全ページで共通に使用される共通画像データの生成を指示する共通画像使用宣言文が、入力データにおいて重複して使用されている場合、処理時間の短縮に限界がある。
【０００８】
本発明は、上記課題に鑑みなされたものであり、共通画像使用宣言文の重複使用の調査を容易とすることを目的としている。
【課題を解決するための手段】
【０００９】
請求項１に記載の発明は、印刷装置に入力される入力データの改善を支援する入力データ改善支援装置であって、前記入力データに複数のページが存在し、前記入力データが複数の共通データと複数の可変データとを実質的に含み、各共通データは、複数のページに印刷される共通画像を示し、各可変データは、いずれかのページに印刷され、かつ、ページ毎に変化する可変画像を示し、前記入力データ改善支援装置が、各共通データから印刷に使用される共通画像データを生成する指示を示す共通画像使用宣言文を、前記入力データから抽出する宣言文抽出部と、各共通画像使用宣言文に対応する共通画像の特徴または内容を示し、使用者による当該共通画像の把握を可能とする画像特定情報を取得するとともに、前記各共通画像使用宣言文に対応する共通画像データの前記入力データにおける使用回数および使用ページを取得する使用情報取得部と、前記各共通画像使用宣言文に対応する前記画像特定情報、前記使用回数および前記使用ページを出力する出力部とを備える。
【００１０】
請求項２に記載の発明は、請求項１に記載の入力データ改善支援装置であって、前記画像特定情報が、対応する共通画像の縮小画像である。
【００１１】
請求項３に記載の発明は、請求項１または２に記載の入力データ改善支援装置であって、いずれかの共通データから共通画像データを生成する際に、ラスタライズまたはラスタデータに対する演算が必要である。
【００１２】
請求項４に記載の発明は、請求項１ないし３のいずれかに記載の入力データ改善支援装置であって、前記出力部からの出力に含まれる複数の画像特定情報から２以上の画像特定情報の選択を受け付ける選択受付部と、前記２以上の画像特定情報に対応する２以上の共通画像使用宣言文のうち、１つの共通画像使用宣言文を統一化宣言文として選択し、前記２以上の共通画像使用宣言文のうち前記統一化宣言文を除く他の共通画像使用宣言文を前記入力データから削除し、前記入力データにおいて、前記他の共通画像使用宣言文に対応する共通画像データの使用を指示する指示文を、前記統一化宣言文に対応する共通画像データの使用を指示する指示文に変更する入力データ変更部とをさらに備える。
【００１３】
請求項５に記載の発明は、ＣＰＵ、メモリ、入力受付部を備えたコンピュータにおいて実行可能であり、印刷装置に入力される入力データの改善を支援するプログラムであって、前記入力データに複数のページが存在し、前記入力データが複数の共通データと複数の可変データとを実質的に含み、各共通データは、複数のページに印刷される共通画像を示し、各可変データは、いずれかのページに印刷され、かつ、ページ毎に変化する可変画像を示し、前記プログラムをＣＰＵがメモリにおいて実行することにより、ａ）各共通データから印刷に使用される共通画像データを生成する指示を示す共通画像使用宣言文を、前記入力データから抽出する工程と、ｂ）各共通画像使用宣言文に対応する共通画像の特徴または内容を示し、使用者による当該共通画像の把握を可能とする画像特定情報を取得するとともに、前記各共通画像使用宣言文に対応する共通画像データの前記入力データにおける使用回数および使用ページを取得する工程と、ｄ）前記各共通画像使用宣言文に対応する前記画像特定情報、前記使用回数および前記使用ページを出力する工程とを前記コンピュータに実行させる。
【発明の効果】
【００１４】
本発明では、共通画像使用宣言文の重複使用の調査を容易とすることができる。
【図面の簡単な説明】
【００１５】
【図１】一の実施の形態に係る入力データ改善支援装置の構成を示す図である。
【図２】入力データ改善支援装置の機能構成を示すブロック図である。
【図３】入力データの構造を示す図である。
【図４】複数のページ上の画像を示す図である。
【図５】改善支援情報の出力の流れを示す図である。
【図６】改善支援情報を示す図である。
【発明を実施するための形態】
【００１６】
図１は、本発明の一の実施の形態に係る入力データ改善支援装置１の構成を示す図である。入力データ改善支援装置１は、印刷装置に入力される可変印刷用の入力データの改善を支援する装置である。可変印刷では、複数のページの印刷において、ページ毎に変化する可変画像、および、複数のページに共通に印刷される共通画像が印刷媒体に印刷される。なお、本実施の形態における「印刷」は、無版印刷を指し、インクジェット方式等により無版にて画像を記録することをいう。
【００１７】
入力データ改善支援装置１は、各種演算処理を行うＣＰＵ１１、基本プログラムを記憶するＲＯＭ１２および各種情報を記憶するＲＡＭ１３をバスラインに接続した一般的なコンピュータシステムの構成となっている。バスラインにはさらに、情報記憶を行う固定ディスク１５、各種情報の表示を行う出力部であるディスプレイ１６、操作者からの入力を受け付けるキーボード１７ａやマウス１７ｂ等の入力受付部１７、光ディスク、磁気ディスク、光磁気ディスク等のコンピュータ読み取り可能な記録媒体１０から情報の読み取りを行ったり記録媒体１０に情報の書き込みを行う読取／書込装置１８、並びに、外部との通信を行う通信部１９が、適宜、インターフェイス（Ｉ／Ｆ）を介する等して接続される。
【００１８】
入力データ改善支援装置１には、事前に読取／書込装置１８を介して記録媒体１０からプログラム１００が読み出され、固定ディスク１５に記憶される。プログラム１００は、通信部１９を介して入力データ改善支援装置１に読み込まれてもよい。そして、プログラム１００が、ＣＰＵ１１によりＲＡＭ１３等において実行されることにより（すなわち、コンピュータがプログラムを実行することにより）、入力データ改善支援装置１による後述の改善支援情報の出力が行われる。
【００１９】
図２は、ＣＰＵ１１がプログラム１００に従って動作することにより、ＣＰＵ１１、ＲＯＭ１２、ＲＡＭ１３、固定ディスク１５等が実現する機能構成を示すブロック図である。図２において、宣言文抽出部７１、使用情報取得部７２、選択受付部７３および入力データ変更部７４がＣＰＵ１１等により実現される機能であり、記憶部７５が固定ディスク１５等により実現される機能である。なお、これらの機能は専用の電気的回路により実現されてもよく、部分的に電気的回路が用いられてもよい。記憶部７５には、可変印刷用の入力データ２等が記憶される。
【００２０】
図３は、入力データ２の構造を模式的に示す図である。図４は、入力データ２に対応して印刷媒体の複数のページ９１に印刷される画像９２を示す図である。本実施の形態では、各画像９２が、１つの共通画像（共通画像９３ａ〜９３ｄのいずれか）、および、１つの可変画像９４により構成される。図４では、内容が同じ共通画像に同符号を付す。また、図４の各ページ９１の下側の数字１〜１４はページ数を示す。なお、実際の入力データ２は、本実施の形態よりも多数のページに印刷を行うためのデータを含む。
【００２１】
図３に示す入力データ２には、印刷媒体の複数のページ９１に対応する複数のデータ領域（以下、「ページデータ２１」という。）が存在する。図３では、入力データ２が、複数の共通データ２２ａ〜２２ｄ、および、複数の可変データ２３を含んでいるが、実際には、共通データ２２ａ〜２２ｄおよび可変データ２３は、入力データ２とは別のデータとして記憶部７５に記憶され、共通データ２２ａ〜２２ｄおよび可変データ２３を呼び出す呼び出し文が入力データ２に含まれる。すなわち、複数の共通データ２２ａ〜２２ｄ、および、複数の可変データ２３は、入力データ２に実質的に含まれていればよい。各共通データ２２ａ〜２２ｄは、印刷媒体の複数のページ９１に共通に印刷される共通画像９３ａ〜９３ｄ（図４参照）を示す。各可変データ２３は、いずれかのページ９１に印刷され、かつ、ページ９１毎に変化する可変画像９４（図４参照）を示す。
【００２２】
入力データ２は、各共通データ２２ａ〜２２ｄから、印刷に使用される共通画像データ２５ａ〜２５ｄを生成する指示を示す共通画像使用宣言文２４ａ〜２４ｄを含む。入力データ２は、また、１４のページ９１に対応する１４種類の可変データ２３から、印刷に使用される１４種類の可変画像データ２７を生成する指示を示す１４の可変画像使用宣言文２６を含む。図３では、可変データ２３および可変画像使用宣言文２６の一部のみを描いている。共通画像使用宣言文２４ａ〜２４ｄ、および、複数の可変画像使用宣言文２６は、全てのページデータ２１よりも前（図３中の上側）に配置される。
【００２３】
共通データ２２ａ〜２２ｄがベクトルデータである場合、印刷装置において共通画像使用宣言文２４ａ〜２４ｄが実行されることにより、共通データ２２ａ〜２２ｄがラスタライズされるとともに印刷装置の特性等に合わせた色変換等の処理が行われ、ラスタデータである共通画像データ２５ａ〜２５ｄが生成される。また、共通データ２２ａ〜２２ｄがラスタデータである場合、共通画像使用宣言文２４ａ〜２４ｄの実行により、共通データ２２ａ〜２２ｄに対して印刷装置の特性等に合わせた色変換等の演算処理が行われ、印刷に用いられる最終的なラスタデータである共通画像データ２５ａ〜２５ｄが生成される。各可変データ２３においても同様に、可変画像使用宣言文２６が実行されることにより、印刷に用いられる最終的なラスタデータである可変画像データ２７が生成される。
【００２４】
入力データ２の各ページデータ２１は、対応するページ９１に印刷される共通画像９３ａ〜９３ｄに対応する共通画像データ２５ａ〜２５ｄ、および、可変画像９４に対応する可変画像データ２７の使用を指示する指示文２８を含む。印刷装置において指示文２８が実行されることにより、ページデータ２１に対応するページ９１に、共通画像９３ａ〜９３ｄおよび可変画像９４が印刷される。
【００２５】
次に、図５を参照しつつ、入力データ改善支援装置１による改善支援情報の出力の流れについて説明する。以下の説明では、印刷装置により入力データ２を利用した印刷が行われた後に、入力データ改善支援装置１による改善支援情報の出力が行われるものとする。したがって、共通画像データ２５ａ〜２５ｄ、および、可変画像データ２７は印刷装置により既に生成されている。
【００２６】
入力データ改善支援装置１では、まず、入力データ２、共通画像データ２５ａ〜２５ｄ、および、可変画像データ２７が通信部１９等（図１参照）を介して受け付けられ、図２に示す記憶部７５に記憶される（ステップＳ１１）。続いて、宣言文抽出部７１により、図３に示す入力データ２から共通画像使用宣言文２４ａ〜２４ｄが抽出される（ステップＳ１２）。
【００２７】
次に、使用情報取得部７２（図２参照）により、各共通画像使用宣言文２４ａ〜２４ｄに対応する共通画像データ２５ａ〜２５ｄが記憶部７５から取得され、共通画像データ２５ａ〜２５ｄに対して縮小処理が行われることにより、共通画像９３ａ〜９３ｄの縮小画像が、共通画像９３ａ〜９３ｄの画像特定情報として取得される（ステップＳ１３）。さらに、使用情報取得部７２により、複数のページデータ２１が検索され、共通画像データ２５ａ〜２５ｄの入力データ２における使用回数、および、共通画像データ２５ａ〜２５ｄが使用される使用ページが取得される（ステップＳ１４）。
【００２８】
そして、図６に示すように、各共通画像使用宣言文２４ａ〜２４ｄに対応する縮小画像９５ａ〜９５ｄ、並びに、共通画像データ２５ａ〜２５ｄの使用回数および使用ページが、改善支援情報として図１に示すディスプレイ１６に表形式にて出力（表示）される（ステップＳ１５）。図６では、１つの共通画像使用宣言文に対応する縮小画像、使用回数および使用ぺージが、１つの行に表示される。図６から、共通画像使用宣言文２４ａに対応する共通画像データ２５ａ（すなわち、共通画像９３ａに対応するデータ）が、１〜４ページにて使用され、使用回数が４回であることが判る。また、共通画像使用宣言文２４ｂに対応する共通画像データ２５ｂは、５，６ページに使用され、使用回数は２回であり、共通画像使用宣言文２４ｃに対応する共通画像データ２５ｃは、７ページに使用され、使用回数は１回である。共通画像使用宣言文２４ｄに対応する共通画像データ２５ｄは、８〜１４ページに使用され、使用回数は７回である。
【００２９】
ところで、入力データ２の生成時に、複数のページにて共通に使用される１つの共通画像に対応する共通データが、誤って複数回宣言されることがある。例えば、上述の共通画像９３ａ，９３ｂ，９３ｃが同一の画像であるとすると、共通データ２２ｂ，２２ｃは入力データ２において誤って余分に使用が宣言されたデータであり、印刷装置において、共通画像使用宣言文２４ｂ，２４ｃにより共通データ２２ｂ，２２ｃから共通画像データ２５ｂ，２５ｃを生成する余分な処理時間が必要となる。その結果、印刷時間が増大してしまう。
【００３０】
入力データ改善支援装置１では、図６に示す改善支援情報を印刷装置の使用者が見ることにより、入力データ２に含まれる各共通画像の使用回数や使用ページを容易に把握することができる。上述の場合であれば、印刷媒体の１〜７ページにそれぞれ印刷されるはずの１つの共通画像が、入力データ２において、個別の共通画像９３ａ，９３ｂ，９３ｃとして定義され、共通画像使用宣言文２４ｂ，２４ｃが共通画像使用宣言文２４ａと重複して使用されていることを使用者が容易に把握することができる。このように、入力データ改善支援装置１では、共通画像使用宣言文の重複使用の使用者による調査を容易とすることができる。
【００３１】
共通画像使用宣言文の重複使用が使用者により検出された場合、使用者は、ディスプレイ１６からの出力である改善支援情報に含まれる複数の縮小画像から、重複使用されている２以上の共通画像に対応する縮小画像を選択する。具体的には、使用者がキーボード１７ａやマウス１７ｂ等（図１参照）を操作することにより、ディスプレイ１６上において縮小画像９５ａ，９５ｂ，９５ｃの左側のチェックボックスがチェックされ、選択受付部７３（図２参照）により、縮小画像９５ａ〜９５ｃの選択が受け付けられる（ステップＳ１６）。
【００３２】
続いて、入力データ変更部７４により、選択受付部７３により受け付けられた縮小画像９５ａ〜９５ｃに対応する共通画像使用宣言文２４ａ〜２４ｃのうち、１つの共通画像使用宣言文が統一化宣言文として選択される。本実施の形態では、重複している共通画像使用宣言文２４ａ〜２４ｃのうち、図３に示す入力データ２において最初に現れる（すなわち、図３中の最も上側に配置される）共通画像使用宣言文２４ａが統一化宣言文として選択される（ステップＳ１７）。
【００３３】
次に、入力データ変更部７４により、共通画像使用宣言文２４ａ〜２４ｃのうち、統一化宣言文である共通画像使用宣言文２４ａを除く他の共通画像使用宣言文２４ｂ，２４ｃが入力データ２から削除される（ステップＳ１８）。そして、入力データ２において、共通画像使用宣言文２４ｂ，２４ｃに対応する共通画像データ２５ｂ，２５ｃの使用を指示する指示文２８が、共通画像使用宣言文２４ａに対応する共通画像データ２５ａの使用を指示する指示文２８に変更される（ステップＳ１９）。具体的には、５〜７ページに対応するページデータ２１の指示文２８のうち共通画像データの使用を指示する部分が、１〜４ページに対応するページデータ２１の指示文２８のうち共通画像データの使用を指示する部分と同様の記載へと変更される。
【００３４】
このように、入力データ改善支援装置１では、入力データ２を容易に改善して印刷装置における入力データ２の処理時間を短縮することができる。その結果、印刷装置における印刷時間を短縮することができる。上述のように、入力データ２では、共通データ２２ａ〜２２ｄから共通画像データ２５ａ〜２５ｄを生成する際に、ラスタライズまたはラスタライズデータに対する演算が必要であり、これらのラスタライズや演算により、入力データ２の処理時間が長くなる。入力データ改善支援装置１では、重複している共通画像使用宣言文のうち不要な共通画像使用宣言文を削除することにより、これらのラスタライズや演算を減らすことができるため、入力データ改善支援装置１は、共通画像データの生成の際にラスタライズまたはラスタライズデータに対する演算が必要な入力データの改善支援に特に適している。
【００３５】
上記実施の形態では、印刷装置により入力データ２を利用した印刷が行われた後に改善支援情報の出力が行われるものとして説明したが、入力データ改善支援装置１による改善支援情報の出力は、印刷装置による印刷の前に行われてもよい。この場合、共通画像データ２５ａ〜２５ｄ、および、可変画像データ２７は印刷装置により生成されていない。入力データ改善支援装置１では、ステップＳ１３において、共通画像使用宣言文２４ａ〜２４ｄに対応する共通データ２２ａ〜２２ｄから共通画像データ２５ａ〜２５ｄを生成し、共通画像データ２５ａ〜２５ｄに対して縮小処理が行われることにより、縮小画像９５ａ〜９５ｄが取得されてもよいが、他の方法により縮小画像９５ａ〜９５ｄが取得されてもよい。例えば、入力データ改善支援装置１において、共通データを、共通画像データよりも低解像度にてラスタライズすることにより、縮小画像が取得されてもよい。これにより、共通画像データを生成した後に縮小処理を行う場合に比べて、縮小画像の取得に要する時間を短縮することができる。
【００３６】
以上、本発明の実施の形態について説明してきたが、本発明は上記実施の形態に限定されるものではなく、様々な変更が可能である。
【００３７】
改善支援情報の画像特定情報は、必ずしも、共通画像９３ａ〜９３ｄの縮小画像９５ａ〜９５ｄである必要はなく、共通画像の特徴または内容を示し、使用者による当該共通画像の把握を可能とする情報であればよい。例えば、共通画像データのデータ量、共通画像におけるグラディエーションやチントの有無、共通画像が文字である場合にはそのフォントが画像特定情報であってもよい。ただし、画像特定情報として縮小画像が表示されることにより、使用者が、共通画像使用宣言文に対応する共通画像の内容を容易に把握することができる。なお、ステップＳ１２において入力データ２から抽出された共通画像使用宣言文の個数が多い場合、ステップＳ１５における改善支援情報の出力では、予め定められた個数の一部の共通画像使用宣言文のみが表示されてもよい。
【００３８】
共通画像使用宣言文２４ａ〜２４ｄは、共通画像使用宣言文２４ａ〜２４ｄにより生成が指示される共通画像データ２５ａ〜２５ｄが各ページデータ２１において呼び出されるよりも前に配置されるのであれば、必ずしも全てのページデータ２１よりも前に配置される必要はない。また、可変画像使用宣言文２６も同様に、必ずしも全てのページデータ２１よりも前に配置される必要はない。
【００３９】
ステップＳ１７では、必ずしも、重複している共通画像使用宣言文のうち、最初に現れる共通画像使用宣言文が、入力データ変更部７４により自動的に統一化宣言文として選択される必要はない。例えば、重複している共通画像使用宣言文のうち、いずれか１つの共通画像使用宣言文が使用者により選択され、選択された共通画像使用宣言文が統一化宣言文とされてもよい。この場合、入力データ２において、統一化宣言文よりも前に統一化宣言文に対応する共通画像データの使用を指示する指示文２８が現れることを防止するため、重複している共通画像使用宣言文のうち、最初に現れる共通画像使用宣言文が、統一化宣言文に置換される。
【００４０】
入力データ改善支援装置１では、重複している共通画像使用宣言文の統一（ステップＳ１６〜Ｓ１９）は、必ずしも行われる必要はなく、使用者が、出力された改善支援情報に基づいて、他の方法にて入力データ２を改善してもよい。また、改善支援情報は、必ずしも、ディスプレイ１６に表示される必要はなく、例えば、印刷用紙等に印刷されてもよい。この場合。改善支援情報を印刷するプリンタが、改善支援情報を出力する出力部となる。
【００４１】
上記実施の形態および各変形例における構成は、相互に矛盾しない限り適宜組み合わされてよい。
【符号の説明】
【００４２】
１    入力データ改善支援装置
２    入力データ
１１    ＣＰＵ
１３    ＲＡＭ
１６    ディスプレイ
２１    ページデータ
２２ａ〜２２ｄ    共通データ
２３    可変データ
２４ａ〜２４ｄ    共通画像使用宣言文
２５ａ〜２５ｄ    共通画像データ
２８    指示文
７１    宣言文抽出部
７２    使用情報取得部
７３    選択受付部
７４    入力データ変更部
９１    ページ
９３ａ〜９３ｄ    共通画像
９４    可変画像
９５ａ〜９５ｄ    縮小画像
１００    プログラム
Ｓ１１〜Ｓ１９    ステップ
【図１】
0005690185.tif 000002
【図２】
0005690185.tif 000003
【図３】
0005690185.tif 000004
【図４】
0005690185.tif 000005
【図５】
0005690185.tif 000006
【図６】
0005690185.tif 000007